(57)【要約】【課題】  基準白板に白キズ等があっても、短時間で最適なゲイン設定を行える装置や方法を提供する。【解決手段】  画像読取装置は、原稿を光学的に読み取り、アナログ画像信号を出力する読取手段と、アナログ画像信号を第１増幅率に基づき増幅する第１増幅手段と、アナログ画像信号をデジタル画像データへ変換する変換手段と、デジタル画像データを第２増幅率に基づき増幅する第２増幅手段と、基準画像を読み取り、増幅した後のデジタル画像データの複数ライン分の信号レベルからピーク値を検出し、複数ライン分の信号レベルを平均して平均値を算出する検出処理手段と、ピーク値が所定の目標値となるように第１増幅率を算出して第１増幅手段に設定し、そのピーク値および平均値と、第１増幅率の設定後に基準画像を再度読み取り検出されたピーク値及び算出された平均値と、目標値とを用いて第２増幅率を算出し、第２増幅手段に設定する制御手段とを含む。【選択図】  図５
2014003423.tif 000002
【特許請求の範囲】
【請求項１】
原稿を光学的に読み取り、アナログ画像信号として出力する読取手段と、前記アナログ画像信号を設定された第１増幅率に基づき増幅する第１増幅手段と、増幅された前記アナログ画像信号をデジタル画像データへ変換する変換手段と、変換されたデジタル画像データを設定された第２増幅率に基づき増幅する第２増幅手段とを含む画像読取装置であって、
基準画像を前記読取手段により読み取り、前記第１増幅手段および前記第２増幅手段により増幅した後のデジタル画像データの複数ライン分の信号レベルから最大レベルであるピーク値を検出し、前記複数ライン分の前記信号レベルを平均して平均値を算出する検出処理手段と、
検出された前記ピーク値が所定の目標値となるように前記第１増幅率を算出して前記第１増幅手段に設定し、前記ピーク値および前記平均値と、前記第１増幅率の設定後に前記基準画像を前記読取手段で再度読み取り、前記検出処理手段により検出されたピーク値および算出された平均値と、前記目標値とを用いて第２増幅率を算出し、前記第２増幅手段に設定する制御手段とをさらに含む、画像読取装置。
【請求項２】
前記検出処理手段は、前記基準画像の読み取りに対して、第１ピーク値を検出し、第１平均値を算出し、前記制御手段は、前記第１ピーク値が前記目標値を超えない範囲で前記第１増幅率を算出して前記第１増幅手段に設定し、かつ前記第１ピーク値と前記第１平均値の比を第１の比として算出し、
前記検出処理手段は、前記第１増幅手段に前記第１増幅率を設定した後の前記基準画像の再度の読み取りに対して、第２ピーク値を検出し、第２平均値を算出し、前記制御手段は、前記第２ピーク値と前記第２の平均値の比を第２の比として算出し、前記第１の比と前記第２の比のうち大きい方の比を用いて前記第２増幅率を算出する、請求項１に記載の画像読取装置。
【請求項３】
前記制御手段は、前記大きい方の比と前記第２の平均値とを乗算した値が前記目標値となるように前記第２増幅率を算出する、請求項２に記載の画像読取装置。
【請求項４】
前記制御手段は、前記第１増幅率の誤差を考慮して前記目標値を補正し、前記第１のピーク値が補正した前記目標値を超えない範囲で前記第１増幅率を算出する、請求項２または３に記載の画像読取装置。
【請求項５】
前記第２増幅率の設定後に前記基準画像を前記読取手段により読み取り、前記第１増幅手段および前記第２増幅手段において前記目標値を超えず、正常に増幅率調整が終了したときの前記第１増幅率および前記第２増幅率と当該第２増幅率を算出するために使用された前記ピーク値とを記憶する記憶手段を含み、次の増幅率調整時に、前記記憶手段に記憶された前記第１増幅率および前記第２増幅率と前記ピーク値とを初期値として使用する、請求項１〜４のいずれか１項に記載の画像読取装置。
【請求項６】
前記記憶手段は、前記第２増幅率を算出するために使用された前記平均値も記憶し、前記制御手段は、前記次の増幅率調整時に、前記検出処理手段により算出された新たな平均値が、前記記憶手段に記憶された前記平均値と一定の係数とを乗算した値より小さい場合、新たに第１増幅率および第２増幅率を算出する、請求項５に記載の画像読取装置。
【請求項７】
増幅率調整が終了するたびに前記ピーク値および前記平均値を履歴情報として記憶する履歴情報記憶手段をさらに含み、前記制御手段は、前記履歴情報記憶手段に順に記憶された一定数の前記ピーク値および前記平均値がいずれも一定範囲内であるかどうかを判定し、前記一定範囲内と判定された場合に、前記読取手段は、前記ピーク値を検出するためのライン数を減らして前記基準画像の読み取りを行う、請求項１〜６のいずれか１項に記載の画像読取装置。
【請求項８】
請求項１〜７のいずれか１項に記載の画像読取装置を備える画像形成装置。
【請求項９】
原稿を光学的に読み取り、アナログ画像信号として出力する読取手段と、前記アナログ画像信号を設定された第１増幅率に基づき増幅する第１増幅手段と、増幅された前記アナログ画像信号をデジタル画像データへ変換する変換手段と、変換されたデジタル画像データを設定された第２増幅率に基づき増幅する第２増幅手段とを含む画像読取装置により実行される増幅率の調整方法であって、
前記読取手段により基準画像を読み取り、前記第１増幅手段および前記第２増幅手段により増幅して前記基準画像のデジタル画像データを出力するステップと、
出力された前記デジタル画像データの複数ライン分の信号レベルから最大レベルであるピーク値を第１ピーク値として検出し、前記複数ライン分の前記信号レベルを平均して平均値を第１平均値として算出するステップと、
前記第１ピーク値が所定の目標値を超えない範囲で前記第１増幅率を算出して前記第１増幅手段に設定し、かつ前記第１ピーク値と前記第１平均値の比を第１の比として算出するステップと、
前記読取手段により前記基準画像を再度読み取り、前記第１増幅手段および前記第２増幅手段により増幅して前記基準画像のデジタル画像データを再度出力するステップと、
再度出力された前記デジタル画像データの複数ライン分の信号レベルからピーク値を第２ピーク値として検出し、前記複数ライン分の前記信号レベルを平均して平均値を第２平均値として算出するステップと、
前記第２ピーク値と前記第２の平均値の比を第２の比として算出し、前記第１の比と前記第２の比のうち大きい方の比を用いて前記第２増幅率を算出し、前記第２増幅手段に設定するステップとを含む、増幅率の調整方法。
【請求項１０】
請求項９に記載の増幅率の調整方法を実行するためのコンピュータ可読なプログラム。
【発明の詳細な説明】
【技術分野】
【０００１】
本発明は、原稿を光学的に読み取り出力されたアナログ画像信号を増幅し、デジタル画像データへ変換し、デジタル画像データを増幅して出力する際に適用する増幅率を調整することができる画像読取装置、その画像読取装置を備える画像形成装置、その増幅率の調整方法およびその方法を実行するためのコンピュータ可読なプログラムに関する。
【背景技術】
【０００２】
スキャナは、原稿に光を照射し、その原稿からの反射光を、センサ基板（ＳＢＵ）内に配置されたラインセンサへ導き、ラインセンサで光電変換を行うことにより原稿の読み取りを行う。具体的には、図１に示すように、コンタクトガラス１の上面に原稿１２が載置され、原稿１２は、コンタクトガラス１の下部に配置された光源２により光が照射される。光源２が配置される第１走行体６には、原稿１２からの反射光を偏向する第１ミラー３も配置され、この第１ミラー３により偏向された反射光は、第２走行体７内へ入射される。第２走行体７には、第２ミラー４および第３ミラー５が配置され、第１ミラー３からの反射光を順次偏向し、結像レンズ８へ入射される。
【０００３】
結像レンズ８は、入射された反射光を、ＳＢＵ１０上のラインセンサ９の受光面に縮小結像する。ラインセンサ９は、光電変換を行い、これによって原稿の読み取りを行う。この原稿読み取り時において、スキャナ１１は、原稿１２の長手方向である副走査方向Ａに向けて、第１走行体６を一定の速度で移動し、第１走行体６と連動して第２走行体７が第１走行体６の１／２の速度で移動する。なお、図１には、シェーディング補正等において補正データを得るための、副走査方向Ａに対して垂直な主走査方向に延びた均一濃度の白色部材である基準白板１３も示されている。シェーディング補正は、濃度ムラを取り除くための画像補正処理である。
【０００４】
ＳＢＵ１０は、図２に示すように、ラインセンサ９で光電変換され、得られたアナログ画像信号をデジタル画像データへ変換して出力する。そのために、ＳＢＵ１０は、クランプ回路１４、サンプル・ホールド（Ｓ／Ｈ）回路１５、アナログ・プログラマブル・ゲイン・アンプ（ＡＰＧＡ）１６、アナログ／デジタル変換器（ＡＤＣ）１７、デジタル・プログラマブル・ゲイン・アンプ（ＤＰＧＡ）１８を備えた信号処理ＩＣを備えており、ラインセンサ９で変換されたアナログ画像信号は、図示しないバッファおよびＡＣ結合を介して前記信号処理ＩＣ内へ入力される。
【０００５】
前記信号処理ＩＣ内へ入力されたアナログ画像信号は、クランプ回路１４により黒レベルに基準電圧が補正される。Ｓ／Ｈ回路１５は、常時変化するアナログ画像信号のある時点のレベルを一定時間保持するサンプル・ホールドを行い、これにより、連続した画像データにする。ＡＰＧＡ１６は、設定された増幅率（アナログゲイン）に基づき、ＡＤＣ１７によるＡ／Ｄ変換に適した電圧に増幅する。ＡＤＣ１７によりＡ／Ｄ変換された後、ＤＰＧＡ１８は、設定された増幅率（デジタルゲイン）に基づきデジタル画像データを増幅し、後段の図示しない画像処理部へ出力する。ゲインは、増幅率であり、例えば２倍、４倍、８倍等とされる。
【０００６】
電源ＯＮ時または省エネモードからの復帰時には、基準白板１３が読み取られ、その読み取りレベルが、予め設定されている任意のレベル（白目標値）となるように各ゲインが調整される。ＡＰＧＡ１６およびＤＰＧＡ１８には、調整後のゲインが設定される。なお、読み取りレベルは、主走査方向に並ぶ１ライン中の複数の画素値から構成されるものである。この１ラインの読み取りレベルを例示すると、図３に示すようなものとなる。図３中、向かって左側が、ゲイン調整前の基準白板１３の読み取りレベルであり、向かって右側が、ゲイン調整後の基準白板１３の読み取りレベルである。上記のゲイン調整では、ゲイン調整前の読み取りレベルの最も高いピーク値が白目標値より低いので、そのピーク値が白目標値となるようにゲインが決定される。
【０００７】
通常、ゲインは、白目標値、光源２の光量の変動、基準白板１３の濃度のばらつきを考慮して、出力されるデジタル画像データが飽和しない値、例えば１０ｂｉｔのデータであれば、１０２３ｄｉｇｉｔを超えない値に設定される。一例では、９００ＬＳＢ等に設定される。ＬＳＢは、Ａ／Ｄ変換の量子化単位であるｄｉｇｉｔと同義に使用される単位である。
【０００８】
ゲイン調整後は、基準白板１３を再度読み取り、その読み取りレベル（白レベル）が白目標値付近の値になっており、そのゲインが適切な値であることを確認する。適切な値でない場合は、再度調整を行う。光源２の不点灯や光量低下等によって白レベルやゲインに異常がある場合、エラー状態とされる。
【０００９】
従来、ゲインを決定するための方法として、以下の方法が提案されている（例えば、特許文献１、２参照）。特許文献１に記載の方法では、基準白板を読み取り、そこから白レベルを検出し、各走査ラインで検出した白レベルからピークレベルを検出し、それを平均化や重加算平均化等の処理を行い、ピーク値を求め、そのピーク値を目標出力レベルに調整することによりゲイン係数を決定している。特許文献２に記載の方法では、１ライン中のピークレベルを検出し、そのピークレベルが白レベル目標値の公差範囲内になるようにゲインを決定している。
【００１０】
しかしながら、特許文献１に記載の方法では、基準白板の各走査ラインのピークレベルを検出し平均化しているため、ノイズを含んだ白キズ等のピークレベルを検出していない。特許文献２に記載の方法でも、１ライン中のピークレベルを検出するのみで、ノイズを含んだ白キズ等のピークレベルを検出していない。基準白板にゴミが付着している場合や、白キズが存在する場合は、ゴミや白キズからの反射光によって基準白板を読み取ったときのライン画像データに突出したピークレベルが観測される。このようなゴミや白キズが存在する場合、ＡＰＧＡ１６やＤＰＧＡ１８のゲイン調整を精度良く行うことが困難となる。また、画像の読取信号を処理する回路は、その出力ビット数で定まる最大値を出力し続け、エラー状態となる。これでは、この回路を備えた装置全体の動作が停止してしまうおそれがある。
【００１１】
この問題に鑑み、自動ゲイン調整におけるアナログゲインを決定する際、１ライン中のピークレベルを検出し、そのピーク値が目標値を超えない範囲で最大になるようにアナログゲインを決定し、アナログゲイン設定後に複数ラインでの最大ピークレベルを検出し、最大ピークレベルが目標値を超えたか否かを判定し、超えた場合、アナログゲインを一段階下げ、再度複数ラインのピークレベルを検出し、最大ピークレベルが目標値に最も近づくようにデジタルゲインを決定することで、ゲイン調整を最適に行い、出力の飽和を防止し、エラー状態を回避する技術が提案されている（特許文献３参照）。
【発明の概要】
【発明が解決しようとする課題】
【００１２】
上記特許文献３に記載の技術では、アナログゲインを決定する際、１ライン中のピーク値に対して、目標値と比較してアナログゲインを決定している。このような１ライン中のピーク値のみを検出してアナログゲインを決定する方法では、ノイズを含んだ白キズのピークレベルを検出することができない可能性が高い。これは、アナログゲインを決定するために読み取られる基準白板のその１ライン中に必ず白キズが存在するとは限らないからである。したがって、調整後の基準白板にて白キズを読み取ったとき、目標値を超えてしまい、高い確率でアナログゲインを一段階下げなければならない。
【００１３】
上記特許文献３によると、このアナログゲインは、一段階しか下げられないので、ゲインの設定ステップが小さいとき、ゲイン調整後の基準白板の読み取り時に、白キズの読み取りレベルが目標値を超える可能性がある。また、アナログゲインの誤差等を考慮すると、その可能性がさらに高くなる。例えば、アナログゲインを一段階下げる前にゲイン誤差が−１０％あり、一段階下げた後はゲイン誤差が＋１０％になった場合である。このように目標値を超えてしまう場合、エラー処理となり、通常、再度ゲイン調整を行うため、立ち上げ時間に影響を及ぼすこととなる。
【００１４】
そこで、基準白板に白キズ等があっても、短時間で最適なゲイン設定を行うことができ、ゲイン調整後の基準白板の読み取りレベルが目標値を超える確率を最低限に抑えてエラー状態を回避し、高速立ち上げを実現することができる装置や方法の提供が望まれていた。
【課題を解決するための手段】
【００１５】
本発明は、上記課題に鑑み、原稿を光学的に読み取り、アナログ画像信号として出力する読取手段と、アナログ画像信号を設定された第１増幅率に基づき増幅する第１増幅手段と、増幅されたアナログ画像信号をデジタル画像データへ変換する変換手段と、変換されたデジタル画像データを設定された第２増幅率に基づき増幅する第２増幅手段とを含む画像読取装置であって、
基準画像を読取手段により読み取り、第１増幅手段および前記第２増幅手段により増幅した後のデジタル画像データの複数ライン分の信号レベルから最大レベルであるピーク値を検出し、複数ライン分の信号レベルを平均して平均値を算出する検出処理手段と、
検出されたピーク値が所定の目標値となるように第１増幅率を算出して第１増幅手段に設定し、ピーク値および平均値と、第１増幅率の設定後に基準画像を読取手段で再度読み取り、検出処理手段により検出されたピーク値および算出された平均値と、目標値とを用いて第２増幅率を算出し、第２増幅手段に設定する制御手段とをさらに含む、画像読取装置が提供される。
【発明の効果】
【００１６】
本発明の画像読取装置を提供することにより、基準白板にゴミが付着し、白キズがある場合であっても、短時間で最適なゲイン設定を行うことができ、ゲイン調整後の白レベルが目標値を超える確率を最低限のものとすることができ、また、この画像読取装置のエラー状態を回避し、高速立ち上げを実現することが可能となる。
【図面の簡単な説明】
【００１７】
【図１】画像読取装置のハードウェア構成を例示した図。
【図２】図１に示す画像読取装置が備えるセンサ基板の構成例を示した図。
【図３】ゲイン調整前後の基準白板の読み取りレベルを例示した図。
【図４】本実施形態の画像形成装置のハードウェア構成を例示した図。
【図５】図４に示す画像形成装置が備える画像読取装置の構成例を示した図。
【図６】図５に示す画像読取装置が行うゲイン調整の第１実施形態の流れを示したフローチャート。
【図７】画像読取装置が保持する各値を例示した図。
【図８】アナログゲイン誤差を考慮しない場合のゲイン調整前後の基準白板の読み取りレベルを例示した図。
【図９】図５に示す画像読取装置が行うゲイン調整の第２実施形態の流れを示したフローチャート。
【図１０】図５に示す画像読取装置が行うゲイン調整の第３実施形態の流れを示したフローチャート。
【発明を実施するための形態】
【００１８】
図４は、本実施形態の画像形成装置の構成例を示した図である。画像形成装置は、原稿を読み取る画像読取装置を含む。画像形成装置としては、ＭＦＰ(Multi Function Peripheral)を挙げることができるが、プリンタ、コピー装置、スキャナ装置、ＦＡＸ装置等であってもよい。ここでは、画像形成装置をＭＦＰとして説明する。
【００１９】
画像形成装置は、本体１００と、本体１００の上部に設置された画像読取装置２００と、画像読取装置２００上に装着された自動原稿給送装置（ＡＤＦ）３００と、本体１００に隣接して配置され、大量の用紙を供給することを可能にする大容量給紙装置４００と、本体１００に隣接して配置され、用紙を排出する等の後処理を行う用紙後処理装置５００とを含んで構成される。
【００２０】
本体１００は、画像書き込み部１１０、作像部１２０、定着部１３０、両面搬送部１４０、給紙部１５０、垂直搬送部１６０、手差し部１７０を含んで構成される。その他、図示しない本体１００を制御するためのＣＰＵと、ＣＰＵが読み取り実行するプログラム等を記憶するためのメモリやＨＤＤ等の記憶装置と、ネットワークと接続するためのネットワークＩ／Ｆとをさらに含んで構成される。
【００２１】
画像書き込み部１１０は、光源であるレーザーダイオード（ＬＤ）を備える露光装置により構成される。画像書き込み部１１０は、画像読取装置２００により読み取られた原稿の画像情報に基づき、ＬＤを変調し、ポリゴンミラーやｆθレンズ等の走査光学系により感光体ドラム１２１の表面にレーザ光を照射して、感光体ドラム１２１にレーザ書き込みを行う。
【００２２】
作像部１２０は、感光体ドラム１２１と、感光体ドラム１２１の外周に沿って設けられた現像ユニット１２２と、転写ユニット１２３と、クリーニングユニット１２４と、図示しない帯電ユニットや除電ユニット等の電子写真方式の作像要素を含む。現像ユニット１２２は、レーザ書き込みが行われた感光体ドラム１２１にトナーを付着させ、感光体ドラム１２１の表面上にトナー像（顕像）を形成する。転写ユニット１２３は、感光体ドラム１２１の表面に形成されたトナー像を用紙に転写する。クリーニングユニット１２４は、転写後の感光体ドラム１２１上に残留するトナーを除去する。帯電ユニットは、レーザ書き込みを行うために感光体ドラム１２１を帯電し、除電ユニットは、転写後の感光体ドラム１２１を除電する。
【００２３】
定着部１３０は、転写ユニット１２３により用紙に転写されたトナー像を、温度および圧力を加えて用紙に定着させる。両面搬送部１４０は、定着部１３０の用紙搬送方向の下流側に設けられ、用紙の搬送方向を、用紙後処理装置５００側または両面搬送部１４０側に切り換える第１の切換爪１４１と、第１の切換爪１４１により導かれた反転搬送路１４２と、反転した用紙を再度転写ユニット１２３側へ搬送する画像形成側搬送路１４３と、反転した用紙を用紙後処理装置５００へ搬送する後処理側搬送路１４４とを含んで構成される。また、両面搬送部１４０は、画像形成側搬送路１４３と後処理側搬送路１４４との分岐部に第２の切換爪１４５を備えている。
【００２４】
給紙部１５０は、図４では４段の給紙段から構成され、ピックアップローラ４０１、給紙ローラにより選択された給紙段に収納された用紙を引き出し、垂直搬送部１６０へ送り出す。垂直搬送部１６０は、各給紙段から送り出された用紙を転写ユニット１２３の用紙搬送方向上流側直前にあるレジストローラ１６１まで搬送する。レジストローラ１６１は、感光体ドラム１２１上のトナー像の画像先端とタイミングを取って用紙を転写ユニット１２３に送り込む。手差し部１７０は、開閉可能な手差しトレイ１７１を備え、必要に応じて手差しトレイ１７１を開いて用紙をその手差しトレイ１７１から供給する。この手差しトレイ１７１から用紙を給紙する場合も、レジストローラ１６１で用紙の搬送タイミングを取り、搬送する。
【００２５】
大容量給紙装置４００は、同一サイズの用紙を大量にスタックして供給する。この大容量給紙装置４００は、用紙が消費されるにしたがって底板４０２が上昇し、常にピックアップローラ４０１から用紙のピックアップを可能にしている。ピックアップローラ４０１から給紙される用紙は、垂直搬送部１６０からレジストローラ１６１のニップまで搬送される。
【００２６】
用紙後処理装置５００は、パンチ、整合、ステープル、仕分け等の所定の処理を行う。図４に示す実施形態では、上記の処理を実現するためにパンチ５０１、ステープルトレイ（整合）５０２、ステープラ５０３、シフトトレイ５０４を備えている。このため、本体１００から用紙後処理装置５００に搬入された用紙は、孔あけを行う場合、パンチ５０１により用紙１枚ずつ孔あけが実施される。その後、特に処理を実施するものがなければ、プルーフトレイ５０５へ排紙され、ソート、スタック、仕分けを行う場合は、シフトトレイ５０４へ排紙される。図４に示す実施形態では、仕分けは、シフトトレイ５０４が用紙搬送方向に対して垂直方向に所定量往復移動することにより行われる。そのほか、用紙搬送路で用紙を用紙搬送方向に対して垂直方向に移動させることにより仕分けを行うことも可能である。
【００２７】
整合を行う場合、孔あけが行われた、または行われていない用紙が下搬送路５０６へ送られ、ステープルトレイ５０２において後端フェンスにより用紙搬送方向に対して垂直方向の整合が行われ、ジョガーフェンスにより用紙搬送方向と平行な方向の整合が行われる。また、綴じを行う場合、整合された用紙の束の所定位置、例えば角部と中央部の２箇所の所定位置をステープラ５０３により綴じ、放出ベルトによりシフトトレイ５０４へ排紙する。図４に示す実施形態では、下搬送路５０６は、プレスタック搬送路５０７を備えていて、搬送時に複数枚の用紙をスタックし、後処理中の本体１００側の画像形成動作の中断を回避することができるようになっている。
【００２８】
画像読取装置２００は、ＡＤＦ３００によって原稿台２１０上に搬送され、停止した原稿を光学的に読み取り、図１に示したような第１ミラー、第２ミラー、第３ミラーを介して結合レンズへ入射され、結像された読み取り画像を、ＣＣＤ(Charge Coupled Device)イメージセンサやＣＭＯＳ(Complementary Metal Oxide Semiconductor)イメージセンサ等の光電変換素子により読み取りを行う。読み取られた画像データは、図示しない画像処理部にて所定の画像処理が実行され、図示しないメモリに一旦記憶される。その後、画像形成時に、画像書き込み部１１０によりメモリから読み出され、読み出された画像データに応じて変調し、感光体ドラム１２１に対して光学的な書き込みが行われる。
【００２９】
ＡＤＦ３００は、複数枚の原稿を自動的に給紙する装置で、画像読取装置２００の原稿台２１０設置面に開閉可能に取り付けられる。ＡＤＦ３００は、原稿の片面のみを読み取り可能なものであってもよいし、両面読み取り機能を有するものであってもよい。
【００３０】
画像読取装置２００のハードウェア構成は、図１に示したハードウェア構成とほぼ同様であり、コンタクトガラス、光源、第１ミラー、第２ミラー、第３ミラー、第１走行体、第２走行体、結像レンズ、ラインセンサを有するＳＢＵが含まれる。このＳＢＵは、図２に示した従来のＳＢＵ１０と同様、読取手段としてのラインセンサ、クランプ回路、Ｓ／Ｈ回路、第１増幅手段としてのＡＰＧＡ、変換手段としてのＡＤＣ、第２増幅手段としてのＤＰＧＡを備えるが、この画像読取装置２００では、それらに加えて、ゲイン調整を行うための回路を含む。
【００３１】
図５は、画像読取装置２００の構成例を示した図である。図５に示す画像読取装置２００は、ＡＰＧＡ２２０、ＡＤＣ２２１、ＤＰＧＡ２２２のほか、ゲイン調整を行うための、制御手段としてのゲイン制御回路２２３、検出処理手段としての検出処理回路２２４を含んで構成される。また、画像読取装置２００は、光電変換を行い、ＡＰＧＡ２２０に対してアナログ画像信号V_sigを入力するラインセンサとしてのセンサ２２５と、センサ２２５に対してセンサクロック信号Sensor_clkを与え、ゲイン制御回路２２３および検出処理回路２２４に対してクロック信号CLKおよび同期信号SYNCを与えるタイミング発生回路２２６とを備えている。ここでは、簡略化のために、クランプ回路やＳ／Ｈ回路は省略している。
【００３２】
センサ２２５は、上述したＣＣＤイメージセンサやＣＭＯＳイメージセンサであって、主走査方向の１ライン分の信号レベルを読み取るラインセンサである。タイミング発生回路２２６は、センサ２２５、ゲイン制御回路２２３および検出処理回路２２４にクロック信号CLKを与えて、センサ２２５、ゲイン制御回路２２３および検出処理回路２２４を動作させ、ゲイン制御回路２２３および検出処理回路２２４に同期信号SYNCを与えて、センサ２２５による読み取り動作にタイミングを合わせてゲイン制御回路２２３および検出処理回路２２４を動作させる。
【００３３】
ＡＰＧＡ２２０、ＡＤＣ２２１、ＤＰＧＡ２２２は、図２に示したＡＰＧＡ１６、ＡＤＣ１７、ＤＰＧＡ１８と同様のものであり、それらが行う処理についてはすでに説明したので、ここでは省略する。検出処理回路２２４は、タイミング発生回路２２６からの同期信号SYNCによりセンサ２２５の動作とタイミングを合わせて動作し、センサ２２５により読み取られた基準白板の、ＤＰＧＡ２２２から出力されたデジタル画像データD_sigの複数ライン分の信号レベルから最大レベルをピーク値peak_maxとして検出し、それらの信号レベルを平均して平均値aveを算出する。基準白板は、基準画像を得るために読み取られる部材である。
【００３４】
具体的には、各ラインにつき、複数の画素値を有することから、複数ラインのすべての画素値から最大の画素値をピーク値peak_maxとして検出する。そして、これらすべての画素値を加算し、その画素数で除算することにより平均値aveを算出する。検出処理回路２２４は、メモリを備えていて、検出したピーク値peak_maxと、算出した平均値aveとをそのメモリに記憶する。ここでは、検出処理回路２２４のメモリに記憶するようにしているが、外部の記憶装置に記憶することも可能である。
【００３５】
ゲイン制御回路２２３も、タイミング発生回路２２６からの同期信号SYNCによりセンサ２２５の動作とタイミングを合わせて動作し、検出処理回路２２４からピーク値peak_maxおよび平均値aveを取得し、取得した平均値aveからアナログ画像信号V_sigに対するアナログゲインAgainおよびデジタル画像データD_sigに対するデジタルゲインDgainを算出し、ＡＰＧＡ２２０およびＤＰＧＡ２２２のそれぞれに設定する。これにより、ＡＰＧＡ２２０およびＤＰＧＡ２２２は、設定されたゲインに基づき、入力されたアナログ画像信号V_sigおよびデジタル画像データD_sigを増幅して出力することが可能となる。
【００３６】
画像読取装置２００におけるゲイン調整を、図６を参照して詳細に説明する。図６は、画像読取装置２００が行うゲイン調整の第１実施形態を示したフローチャートである。画像読取装置２００の電源がＯＮにされたとき、または省エネモードから復帰したときに、この処理をステップ６００から開始する。ステップ６０２では、ＡＰＧＡ２２０およびＤＰＧＡ２２２に設定されているゲインを初期化して、ＡＰＧＡ２２０のアナログゲインAgainも、ＤＰＧＡ２２２のデジタルゲインDgainも、最低のゲインである１倍に設定する。そして、ステップ６０４において、検出処理回路２２４がメモリに保持するピーク値peak_maxおよび平均値aveをリセットする。これらの値は、例えば、予め設定されたデフォルト値にリセットされる。
【００３７】
ステップ６０６では、センサ２２５が、最低のゲインに設定した状態で基準白板を複数ライン分読み取り、光電変換してアナログ画像信号V_sigを出力する。アナログ画像信号V_sigは、ＡＰＧＡ２２０で増幅され、ＡＤＣ２２１でデジタル画像データD_sigへ変換され、ＤＰＧＡ２２２で増幅される。ステップ６０８では、検出処理回路２２４が、ＤＰＧＡ２２２から出力されたデジタル画像データD_sigの複数ライン分の信号レベルからピーク値peak_maxを検出し、また、それら信号レベルを平均して平均値aveを算出し、これらの値により検出処理回路２２４のメモリ内の各値を更新する。上記でデフォルト値にリセットされていれば、デフォルト値から検出されたピーク値および算出された平均値へ更新される。
【００３８】
その後、検出処理回路２２４は、メモリに記憶されたピーク値peak_maxおよび平均値aveをゲイン制御回路２２３へ送る。ステップ６１０では、ゲイン制御回路２２３が、ピーク値peak_maxと平均値aveの比を算出し、その比をｋ１としてゲイン制御回路２２３が備えるメモリに記憶する。比ｋ１は、ピーク値peak_maxを平均値aveで除算することにより算出される。この比は、ゲイン制御回路２２３が備えるメモリに限られるものではなく、外部に記憶装置を設け、その記憶装置に記憶することも可能である。
【００３９】
ステップ６１２では、ゲイン制御回路２２３が、ピーク値peak_maxが予め設定されている白目標値agc_trgに０．９を乗算した値を超えない範囲で、かつ最大のゲインとなるようにＡＰＧＡ２２０に設定するアナログゲインAgainを算出する。この実施形態では、アナログゲインAgainが１倍、２倍、４倍、８倍の４つの設定が可能になっているものとし、アナログゲインAgainの誤差を±１０％としている。０．９を乗算しているのは、この誤差を考慮したものである。
【００４０】
このように、複数ライン分の信号レベルからピーク値を検出しているため、ノイズを含んだピークレベルをより確実に検出することができ、基準白板に白キズがある場合であっても、アナログゲインAgainの調整精度を向上させることができる。また、アナログゲインAgainの誤差を考慮して０．９を白目標値agc_trgに乗算しているので、白目標値agc_trgを超える確率を低減させることができる。
【００４１】
また、ステップ６１２では、ゲイン制御回路２２３が、白目標値agc_trgに０．９を乗算した値をピーク値peak_maxで除算して得られた計算値Ｎ（Ｎ＝agc_trg×0.9/peak_max）が２未満であるか否かを判定する。Ｎが２未満である場合、アナログゲインAgainを２倍以上に設定すると白目標値agc_trgを超える場合があるので、ステップ６１４へ進み、ゲイン制御回路２２３はアナログゲインAgainを１倍と決定し、ＡＰＧＡ２２０に１倍を設定する。Ｎが２以上である場合、ステップ６１６へ進み、ゲイン制御回路２２３は、Ｎが２以上で、かつ４未満であるかを判定する。Ｎがその間の範囲である場合、ステップ６１８へ進み、ゲイン制御回路２２３はアナログゲインAgainを２倍と決定し、ＡＰＧＡ２２０に２倍を設定する。アナログゲインAgainを４倍以上に設定すると、白目標値agc_trgを超える場合があるからである。
【００４２】
Ｎが４以上である場合、ステップ６２０へ進み、ゲイン制御回路２２３は、Ｎが４以上で、かつ８未満であるかを判定する。Ｎがその間の範囲である場合、ステップ６２２へ進み、ゲイン制御回路２２３はアナログゲインAgainを４倍と決定し、ＡＰＧＡ２２０に４倍を設定する。Ｎが８倍以上である場合、ステップ６２４へ進み、ゲイン制御回路２２３はアナログゲインAgainを８倍と決定し、ＡＰＧＡ２２０に８倍を設定する。このようにしてゲイン制御回路２２３がアナログゲインAgainをＡＰＧＡ２２０に設定した後、ステップ６２６へ進み、センサ２２５が、再度、基準白板を複数ライン分読み取り、アナログ画像信号V_sigを出力する。
【００４３】
ＡＰＧＡ２２０は、アナログ画像信号V_sigを、設定されたアナログゲインAgainに基づき増幅し、ＡＤＣ２２１は、Ａ／Ｄ変換を行い、ＤＰＧＡ２２２は、デジタルゲインDgainを１倍の状態のままにして増幅を行い、デジタル画像データD_sigを出力する。ステップ６２８では、検出処理回路２２４が、そのデジタル画像データD_sigを受け取り、再びピーク値peak_maxを検出し、平均値aveを算出する。そして、検出処理回路２２４は、これらの値によりメモリに記憶されている値を更新する。その後、検出処理回路２２４は、ゲイン制御回路２２３へこれらの値を送る。ステップ６３０では、ゲイン制御回路２２３が、これらの値からピーク値peak_maxと平均値aveの比ｋ２を算出する。比ｋ２は、ピーク値peak_maxを平均値aveで除算することにより算出される。ステップ６３２では、算出されたｋ１とｋ２を比較し、ｋ１がｋ２より大きいかどうかを判定する。
【００４４】
ここで、アナログゲインAgainを決定する前後におけるピーク値peak_max、平均値ave、比ｋ１、ｋ２、アナログゲインAgain、白目標値agc_trgを例示すると、図７のテーブルに示すような値となる。この例では、アナログゲインAgainが２倍と決定されているため、ＡＰＧＡ２２０に２倍が設定され、その結果、再度基準白板を読み取って得られた平均値aveが６００ＬＳＢ／１０ｂｉｔという決定前の３００ＬＳＢ／１０ｂｉｔの２倍となっている。しかしながら、ピーク値peak_maxについては、決定前の４００ＬＳＢ／１０ｂｉｔの２倍にはなっておらず、２倍より小さい７００ＬＳＢ／１０ｂｉｔとなっている。このため、ピーク値peak_maxと平均値aveの比ｋ１とｋ２は、異なる値となり、決定する前のｋ１が決定した後のｋ２より大きい値となっている。
【００４５】
再び図６を参照して、ステップ６３２でｋ１が大きいと判定された場合、ステップ６３４へ進み、最低のゲインとして設定した１倍に、白目標値agc_trgを乗算し、それをステップ６２８にて算出した平均値aveで除算し、さらに、大きい方のｋ１で除算してＤＰＧＡ２２２に設定するデジタルゲインDgain（Dgain＝1×agc_trg/(ave×k1)）を算出する。算出後、得られたデジタルゲインDgainをＤＰＧＡ２２２に設定し、ステップ６３８でこの処理を終了する。
【００４６】
ステップ６３２でｋ１とｋ２が同じか、ｋ２の方が大きいと判定された場合、ステップ６３６へ進み、最低のゲインとして設定した１倍に、白目標値agc_trgを乗算し、それをステップ６２８にて算出した平均値aveで除算して、さらに、大きい方のｋ２で除算してＤＰＧＡ２２２に設定するデジタルゲインDgain（Dgain＝1×agc_trg/(ave×k2)）を算出する。算出後、得られたデジタルゲインDgainをＤＰＧＡ２２２に設定し、ステップ６３８でこの処理を終了する。
【００４７】
ちなみに、図７に示す例では、ｋ１のほうが大きいので、１倍、白目標値９００ＬＳＢ／１０ｂｉｔ、平均値６００ＬＳＢ／１０ｂｉｔ、ｋ１＝１．３３を用いて、デジタルゲイン＝（１×９００）／（６００×１．３３）＝１．１２７と計算し、これをＤＰＧＡ２２２に設定することができる。また、上記のように、１倍、２倍、４倍、８倍といった整数で設定する場合には、白目標値agc_trgを超えない範囲で設定する必要があることから、この例では、１．１２７に最も近く、それより小さい整数である１倍に設定することができる。設定するゲインは、上記の１倍、２倍、４倍、８倍に限定されるものではなく、それ以外の整数倍であってもよく、上記の１．１２７のように小数倍であってもよい。
【００４８】
この画像読取装置２００におけるゲイン調整では、可能な限りノイズを含んだピーク値を検出し、それに基づきアナログゲインAgainおよびデジタルゲインDgainを決定しているため、基準白板に白キズがあるような場合であっても、精度良くゲイン調整を行うことができる。また、調整後の白キズ読み取りレベルが白目標値agc_trgを超える確率を最小限のものとすることができる。その結果、画像読取装置２００のエラー状態を回避することができ、電源ＯＮ時や省エネモードからの復帰時の高速立ち上げを実現することができる。
【００４９】
図６に示す実施形態では、アナログゲインAgainを算出する際、白目標値agc_trgに０．９を乗算してアナログゲインAgainの誤差を考慮したが、これを考慮しない場合の不具合について簡単に説明する。例えば、図８に示すように、最初に設定されたアナログゲインAgainが最低のゲインである１倍のとき、アナログゲイン調整前の基準白板の読み取りレベルのピーク値peak_maxが４４０ＬＳＢ／１０ｂｉｔであり、予め設定されている白目標値agc_trgが９００ＬＳＢ／１０ｂｉｔであるものとする。
【００５０】
アナログゲインAgainの誤差を考慮しない場合、白目標値agc_trg／ピーク値peak_maxが２以上で４未満であるから、アナログゲインAgainは２倍に決定される。これは、２倍したとしても、４４０×２＝８８０ＬＳＢ／１０ｂｉｔで、白目標値agc_trgの９００ＬＳＢ／１０ｂｉｔより小さくなるためである。
【００５１】
しかしながら、アナログゲインAgainの誤差が±１０％ある場合、実際のアナログゲインAgainは、２倍ではなく、１．９倍〜２．１倍となる。例えば、アナログゲインAgainが１．９倍では、４４０×１．９＝８３６ＬＳＢ／１０ｂｉｔで、白目標値agc_trgより小さくなるが、アナログゲインAgainが２．１倍では、４４０×２．１＝９２４ＬＳＢ／１０ｂｉｔとなり、白目標値agc_trgを超えてしまう。すると、画像読取装置２００はエラー状態となってしまう。
【００５２】
このような不具合に対処するために、白目標値agc_trgそのものではなく、ゲイン誤差を考慮した低めの値、すなわち白目標値agc_trg×０．９と補正することで、基準白板の読み取りレベルが白目標値agc_trgを超えることがなくなり、画像読取装置２００がエラー状態になるのを回避することができる。なお、誤差が±２０％あれば、白目標値agc_trgに０．８を乗算して補正し、その補正した値を用いてゲインを決定することができる。
【００５３】
図６に示した実施形態では、最低のゲインを設定し、検出処理回路２２４のメモリに記憶されているピーク値および平均値をリセットした後、基準白板を読み取り、アナログゲインAgainを決定し、それを設定し、再度基準白板を読み取り、デジタルゲインDgainを決定し、それを設定して、ゲイン調整を行った。この実施形態では、ゲイン調整を行うたびに、初期化しているが、デジタルゲインDgainを設定した後の基準白板の読み取りにおいて、白目標値agc_trgを超えず、エラーが発生することなく正常に終了した場合、そのときに設定されたアナログゲインAgainおよびデジタルゲインDgain、ピーク値を、次のゲイン調整における初期値として利用することが望ましい。これは、より大きなピーク値を検出した場合はピーク値を更新することになるが、初期値として利用したピーク値のほうが大きい場合はその値をそのまま保持することができるからである。これにより、ゲイン調整を行うたびにピーク値を検出する精度が向上し、より最適なゲイン設定が可能となり、ゲイン調整後の基準白板読み取りレベルが白目標値agc_trgを超える確率をさらに低減させることができる。
【００５４】
図９は、画像読取装置２００が行うゲイン調整の第２実施形態を示したフローチャートである。この第２実施形態は、正常に終了したときのゲインおよびピーク値を初期値として用いるものである。図９に示す第２実施形態も、図６に示した第１実施形態と同様、画像読取装置２００の電源がＯＮにされたとき、または省エネモードから復帰したときに、処理を開始する（ステップ９００）。
【００５５】
ステップ９０２では、まず、前回のゲイン調整が正常に終了したかを判定する。例えば、ゲイン調整においてログ情報を取得するようにしておき、そのログ情報を参照し、エラーが出力されているかどうかにより判定することができる。確認処理において白目標値agc_trgを超えていればエラーが出力されるからである。なお、確認処理は、ゲイン調整においてアナログゲインAgainおよびデジタルゲインDgainを算出し、それらを設定した後に、基準画像である基準白板を再度読み取り、増幅されたときの値が白目標値agc_trgを超えないことを確認するための処理である。これは一例であり、正常に終了したかどうかを判定することができればいかなる方法でも採用することができる。
【００５６】
正常に終了していないと判定された場合、ステップ９０４へ進み、ゲイン制御回路２２３は、ＡＰＧＡ２２０およびＤＰＧＡ２２２に設定されているアナログゲインAgainおよびデジタルゲインDgainを初期化し、最低のゲインである１倍に設定する。そして、ステップ９０６において、検出処理回路２２４のメモリに記憶されているピーク値peak_maxおよび平均値aveをリセットする。一方、正常に終了したと判定された場合、前回設定したゲインや各値を初期値として利用することができるので、直接ステップ９０８へ進む。
【００５７】
ステップ９０８では、画像読取装置２００が最低のゲインに設定した状態で、あるいは前回のゲインに設定した状態で、センサ２２５が基準白板を複数ライン分読み取り、アナログ画像信号V_sigを出力する。その後のステップ９１０〜９４０の処理は、図６に示したステップ６０８〜６３８の処理と同様である。なお、ステップ９１２、ステップ９１４、ステップ９１８、ステップ９２２において、比ｋ１および計算値Ｎを算出する際に用いるピーク値peak_maxは、前回のゲインに設定した状態で読み取りを行った場合、前回のピーク値が用いられる。
【００５８】
画像読取装置２００は、長期使用等により光源の光量低下を生じる。このため、光量が低下した分を、ゲインを大きくすることで、適切なデジタル画像データD_sigを出力することができる。しかしながら、図９に示した第２実施形態では、エラーがなく正常に終了している場合、保持しているピーク値peak_maxを利用してゲインを決定するため、そのゲインを大きくすることはできない。そこで、検出処理回路２２４が算出した前回の平均値をave_oldとして保持し、算出された平均値aveが、平均値ave_oldと一定の係数とを乗算した値より小さい場合、光源光量が低下していると判断し、ゲインを初期化し、ピーク値および平均値をリセットして再度ゲイン調整を行うことができるようにする。
【００５９】
図１０は、画像読取装置２００が行うゲイン調整の第３実施形態を示したフローチャートである。図１０に示す第３実施形態は、図９に示した第２実施形態と同様、画像読取装置２００の電源がＯＮにされたとき、または省エネモードから復帰したときに、処理を開始する（ステップ１０００）。ステップ１００２では、まず、前回のゲイン調整が正常に終了したかを判定する。正常に終了していないと判定された場合、ステップ１００４へ進み、ゲイン制御回路２２３は、ＡＰＧＡ２２０およびＤＰＧＡ２２２に設定されているアナログゲインAgainおよびデジタルゲインDgainを初期化し、最低のゲインである１倍に設定する。そして、ステップ１００６において、検出処理回路２２４のメモリに記憶されているピーク値peak_maxおよび平均値aveをリセットする。一方、正常に終了したと判定された場合、前回設定したゲインや各値を初期値として利用することができるので、直接ステップ１００８へ進む。
【００６０】
ステップ１００８では、画像読取装置２００が最低のゲインに設定した状態で、あるいは前回のゲインに設定した状態で、センサ２２５が基準白板を複数ライン分読み取り、アナログ画像信号V_sigを出力する。アナログ画像信号V_sigは、ＡＰＧＡ２２０、ＡＤＣ２２１、ＤＰＧＡ２２２により増幅および変換される。ステップ１０１０では、検出処理回路２２４が、ＤＰＧＡ２２２から出力されたデジタル画像データD_sigの複数ライン分の信号レベルからピーク値peak_maxを検出し、それら信号レベルを平均して平均値aveを算出し、これらの値により検出処理回路２２４のメモリ内の各値を更新する。なお、このメモリは、前回の平均値もave_oldとして記憶している。
【００６１】
検出処理回路２２４は、ゲイン制御回路２２３へピーク値peak_max、平均値aveおよび前回の平均値ave_oldを送る。ステップ１０１２では、ゲイン制御回路２２３が、平均値aveが平均値ave_oldにｔを乗算した値より大きいかどうかを判定する。ｔは、一定の係数であって、０より大きく１以下の数値である。例えば、ｔは、０．８あるいは０．９といった値とすることができる。
【００６２】
ステップ１０１２で平均値aveのほうが大きい場合、ステップ１０１６へ進み、小さい場合は、ステップ１０１４へ進む。ステップ１０１４では、平均値aveを平均値ave_oldとし、メモリ内に記憶された平均値ave_oldを更新する。そして、ステップ１００４へ戻り、ゲインの初期化、ピーク値peak_maxおよび平均値aveのリセットを行う。なお、ステップ１０１６〜１０４４の処理は、図９に示したステップ９１２〜ステップ９４０の処理と同様である。このようにして、光源の光量低下があった場合でも、その光量に応じた最適なゲインに調整することができる。
【００６３】
検出処理回路２２４のメモリは、検出されたピーク値peak_maxおよび算出された平均値ave、前回の平均値ave_oldのほか、これまでに検出されたピーク値および算出された平均値を履歴情報として記憶することができる。ピーク値peak_maxおよび平均値aveは、ゲイン調整が終了するたびに順に記憶することができる。このため、ゲイン制御回路２２３は、順に記憶された一定数のピーク値および平均値がいずれも一定範囲内にあるかどうかを判断し、一定範囲内にあれば、変動がほとんど無く、安定している状態であり、充分にノイズを含んだピーク値を検出できており、光源光量の変動もほとんどないと判断できる。このため、センサ２２５は、基準白板を読み取る際、例えばこれまでに１００ラインであったものを、５０ラインにライン数を減らして読み取りを行うことができる。ライン数を減らしても充分にゲイン調整を行うことができるからである。このようにライン数を減らすことにより読み取り時間が短縮されるため、画像読取装置２００の立ち上げをより高速にすることができる。
【００６４】
これまで本発明の画像処理装置、この画像処理装置を備える画像読取装置および画像形成装置および画像処理方法について上述した実施形態をもって詳細に説明してきたが、本発明は、上述した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。このため、画像処理方法を実行するためのコンピュータ可読なプログラムも提供することができる。このプログラムは、ＣＤ−ＲＯＭ、ＤＶＤ、ＵＳＢメモリ、ＳＤカード等の記録媒体に格納して提供することもできるし、ネットワークに接続されたサーバ等に記憶され、ダウンロード要求に応じてネットワークを介して提供することも可能である。
【符号の説明】
【００６５】
１…コンタクトガラス、２…光源、３…第１ミラー、４…第２ミラー、５…第３ミラー、６…第１走行体、７…第２走行体、８…結像レンズ、９…ラインセンサ、１０…ＳＢＵ、１１…スキャナ、１２…原稿、１３…基準白板、１４…クランプ回路、１５…Ｓ／Ｈ回路、１６…ＡＰＧＡ、１７…ＡＤＣ、１８…ＤＰＧＡ、１００…本体、１１０…画像書き込み部、１２０…作像部、１２１…感光体ドラム、１２２…現像ユニット、１２３…転写ユニット、１２４…クリーニングユニット、１３０…定着部、１４０…両面搬送部、１４１…第１の切換爪、１４２…反転搬送路、１４３…画像形成側搬送路、１４４…後処理側搬送路、１４５…第２の切換爪、１５０…給紙部、１６０…垂直搬送部、１６１…レジストローラ、１７０…手差し部、１７１…手差しトレイ、２００…画像読取装置、２１０…原稿台、２２０…ＡＰＧＡ、２２１…ＡＤＣ、２２２…ＤＰＧＡ、２２３…ゲイン制御回路、２２４…検出処理回路、２２５…センサ、２２６…タイミング発生回路、３００…ＡＤＦ、４００…大容量給紙装置、４０１…ピックアップローラ、４０２…底板、５００…用紙後処理装置、５０１…パンチ、５０２…ステープルトレイ、５０３…ステープラ、５０４…シフトトレイ、５０５…プルーフトレイ、５０６…下搬送路、５０７…プレスタック搬送路
【先行技術文献】
【特許文献】
【００６６】
【特許文献１】特許第４１２７６０３号公報
【特許文献２】特許第４７７８３３７号公報
【特許文献３】特開２０１１−２１１２５９号公報
【図１】
2014003423.tif 000003
【図２】
2014003423.tif 000004
【図３】
2014003423.tif 000005
【図４】
2014003423.tif 000006
【図５】
2014003423.tif 000007
【図６】
2014003423.tif 000008
【図７】
2014003423.tif 000009
【図８】
2014003423.tif 000010
【図９】
2014003423.tif 000011
【図１０】
2014003423.tif 000012